(57)【要約】【課題】  フラットディスプレイの大きさの制限を抑制し、商品性を高めることが可能な車両用表示装置を提供する。【解決手段】  車両用表示装置は、各種情報を表示可能なフラットディスプレイ２１ｂと、フラットディスプレイ２１ｂの前面側に設けられる透光性基板２１ａと、透光性基板２１ａに設けられる指針２２と、フラットディスプレイ２１ｂの後面側に設けられ指針２２を回動させるための指針駆動手段２５及び２６と、透光性基板２１ａを表示範囲外に移動させる移動機構５と、指針２２に設けられる第一の磁石２２ｃと、指針駆動手段２５及び２６に第一の磁石２２ｃと対向するように設けられる第二の磁石２５ａと、を備える。透光性基板２１ａがフラットディスプレイ２１ｂの前面側に位置する場合に、第一，第二の磁石２２ｃ，２５ａの吸引力によって指針２２を指針駆動手段２５及び２６の回転駆動に連動して回動させてなる。【選択図】  図２
2008286774.tif 000002
【特許請求の範囲】
【請求項１】
各種情報を表示可能なフラットディスプレイと、
前記フラットディスプレイの前面側に設けられる透光性基板と、
前記透光性基板に設けられる指針と、
前記フラットディスプレイの後面側に設けられ前記指針を回動させるための指針駆動手段と、
前記透光性基板を表示範囲外に移動させる移動機構と、
前記指針に設けられる第一の磁石と、前記指針駆動手段に前記第一の磁石と対向するように設けられる第二の磁石と、を備え、
前記透光性基板が前記フラットディスプレイの前面側に位置する場合に、前記第一，第二の磁石の吸引力によって前記指針を前記指針駆動手段の回転駆動に連動して回動させてなることを特徴とする車両用表示装置。
【請求項２】
前記指針は、前記透光性基板が前記移動機構によって前記表示範囲外に移動した際に所定位置を指示するような重量バランスで形成されてなることを特徴とする請求項１に記載の車両用表示装置。
【請求項３】
前記指針を回動可能に支持する軸部を前記透光性基板に配設し、前記軸部は、主軸と、前記主軸を前記透光性基板に固定する主軸受け部と、前記主軸を中心として回転可能に設けられるとともに前記指針に配設固定される回転軸部と、前記主軸受け部と前記回転軸部との間に配設される弾性部材と、を備え、前記透光性基板が前記フラットディスプレイの前面側に位置する際に前記第一，第二の磁石が互いに吸引しあうことで前記弾性部材を変形させて前記回転軸部を回転可能な状態とし、前記透光性基板が前記移動機構によって前記表示範囲外に移動した際には前記弾性部材が復元することで前記回転軸部を回転しない状態で保持することを特徴とする請求項１に記載の車両用表示装置。
【請求項４】
前記主軸は、前記透光性基板が前記移動機構によって前記表示範囲外に移動した際に前記弾性部材の作用によって前記回転軸部と接する保持部を有してなることを特徴とする請求項３に記載の車両用表示装置。
【請求項５】
前記第一，第二の磁石は、互いの対向面に２極着磁され、前記透光性基板が前記移動機構によって前記表示範囲外に移動する際に、前記指針駆動手段は、前記第一，第二の磁石の磁極境界線が前記透光性基板の移動方向と略平行となるように前記指針を回動させることを特徴とする請求項１に記載の車両用表示装置。
【請求項６】
前記指針駆動手段は、前記透光性基板が前記表示領域外に移動してから前記第一の磁石が前記第二の磁石との吸引作用が生じる位置に戻るまでの間は回転駆動しないことを特徴とする請求項５に記載の車両用表示装置。
【発明の詳細な説明】
【技術分野】
【０００１】
本発明は、液晶表示器などのフラットディスプレイと呼ばれる表示器と、前記フラットディスプレイの前面に配設される指針を有する実体メータとを備えた車両用表示装置に関する。
【背景技術】
【０００２】
従来の車両用表示装置は特許文献１に開示されるものがある。この車両用表示装置は、各種状態を表示可能な表示器（フラットディスプレイ）と、この表示器の前面に配設される実体メータとを備えている。この実体メータは、目盛などの指標を備えた文字板と前記文字板の前方に設けられた指針とを備え、計測量に応じた位置に前記指針を回答させ、その指針の指示部と前記指標とを対比させて観測者に計測量を視認させるものであり、また、前記実体メータを前記表示器とは重ならない位置まで移動させる移動手段を備えている。
【０００３】
そして、前記表示器を優先して表示させるときに、前記移動手段は前記実体メータを前記表示器とは重ならない位置まで移動させるものである。
【特許文献１】特開２００５−３３１３１７号公報
【発明の開示】
【発明が解決しようとする課題】
【０００４】
しかしながら、このような車両用表示装置にあっては、前記実体メータを前記表示器とは重ならない位置まで移動させるが、前記実体メータは前記車両用表示装置の表示範囲内での移動であり移動範囲が限られるため、前記表示器の大きさも制限され、商品性に欠けているといった問題点を有している。
【０００５】
そこで、本発明は、前述した問題点に着目し、フラットディスプレイの大きさの制限を抑制し、商品性を高めることが可能な車両用表示装置を提供するものである。
【課題を解決するための手段】
【０００６】
本発明は、前記課題を解決するため、各種情報を表示可能なフラットディスプレイと、前記フラットディスプレイの前面側に設けられる透光性基板と、前記透光性基板に設けられる指針と、前記フラットディスプレイの後面側に設けられ前記指針を回動させるための指針駆動手段と、前記透光性基板を表示範囲外に移動させる移動機構と、前記指針に設けられる第一の磁石と、前記指針駆動手段に前記第一の磁石と対向するように設けられる第二の磁石と、を備え、前記透光性基板が前記フラットディスプレイの前面側に位置する場合に、前記第一，第二の磁石の吸引力によって前記指針を前記指針駆動手段の回転駆動に連動して回動させてなることを特徴とする。
【０００７】
また、前記指針は、前記透光性基板が前記移動機構によって前記表示範囲外に移動した際に所定位置を指示するような重量バランスで形成されてなることを特徴とする。
【０００８】
また、前記指針を回動可能に支持する軸部を前記透光性基板に配設し、前記軸部は、主軸と、前記主軸を前記透光性基板に固定する主軸受け部と、前記主軸を中心として回転可能に設けられるとともに前記指針に配設固定される回転軸部と、前記主軸受け部と前記回転軸部との間に配設される弾性部材と、を備え、前記透光性基板が前記フラットディスプレイの前面側に位置する際に前記第一，第二の磁石が互いに吸引しあうことで前記弾性部材を変形させて前記回転軸部を回転可能な状態とし、前記透光性基板が前記移動機構によって前記表示範囲外に移動した際には前記弾性部材が復元することで前記回転軸部を回転しない状態で保持することを特徴とする。
【０００９】
また、前記主軸は、前記透光性基板が前記移動機構によって前記表示範囲外に移動した際に前記弾性部材の作用によって前記回転軸部と接する保持部を有してなることを特徴とする。
【００１０】
また、前記第一，第二の磁石は、互いの対向面に２極着磁され、前記透光性基板が前記移動機構によって前記表示範囲外に移動する際に、前記指針駆動手段は、前記第一，第二の磁石の磁極境界線が前記透光性基板の移動方向と略平行となるように前記指針を回動させることを特徴とする。
【００１１】
また、前記指針駆動手段は、前記透光性基板が前記表示領域外に移動してから前記第一の磁石が前記第二の磁石との吸引作用が生じる位置に戻るまでの間は回転駆動しないことを特徴とする請求項５に記載の車両用表示装置。
【発明の効果】
【００１２】
本発明は、液晶表示器などのフラットディスプレイと呼ばれる表示器と、前記フラットディスプレイの前面に配設される指針を有する実体メータとを備えた車両用表示装置に関し、フラットディスプレイの大きさの制限を抑制し、商品性を高めることが可能となる。
【発明を実施するための最良の形態】
【００１３】
以下、添付の図面に基いて本発明を車両用コンビネーションメータ（車両用表示装置）に応用した第一の実施形態について説明する。
【００１４】
図１において、１はハウジングである。ハウジング１は、見返し部材及びケース体を有し、３個の指示計器（実体メータ）、即ち、速度計２，燃料計３及び水温計４を収納するものである。速度計２は、燃料計３及び水温計４よりも大きく、燃料計２と水温計４の間に配置されている。速度計２は、表示板２１及び指針２２を有している。また、燃料計３及び水温計４は、文字板３１，４１及び指針３２，４２を夫々有している。文字板３１，４１は、透光性樹脂（例えばポリカーボネート）からなる基板に指標部３ａ，４ａを除いて遮光部を印刷形成したものである。指針３２，４２はステッピングモータ（図示しない）により回動され、文字板３１，４１の指標部３ａ，４ａを指示する。
【００１５】
この３つの指示計器の中で、燃料計３と水温計４とは従来周知の構造であるので説明は省略する。本発明の特徴を、速度計２を用いて説明する。
【００１６】
図２は本実施形態の断面図であり、図３は要部拡大断面図である。図２及び図３において、速度計２は、表示板２１，指針２２，軸部２３，ＬＥＤ２４，軸受け部２５及びステッピングモータ２６を有している。また、２７は回路基板であり、この回路基板２７にステッピングモータ２６が搭載されている。また、図２において、５は移動機構であり、６は、暗色の前面パネルである。
【００１７】
表示板２１は、透光性基板２１ａと、液晶ディスプレイ（フラットディスプレイ）２１ｂとからなるものである。
【００１８】
透光性基板２１ａは、透光性樹脂（例えばアクリル、ポリカーボネート）からなり、指針２２を回動可能に保持するための後述する軸部が配設されるものである。また、透光性基板２１ａは後で詳述する移動機構５によって指針２２とともに表示領域外へ移動可能なものである。
【００１９】
液晶ディスプレイ２１ｂは、透明電極膜が形成された一対の透光性基板に液晶を封入した液晶セルの両面に偏光板を貼り合わせたものであって、例えばドットマトリクス型の液晶表示素子である。液晶ディスプレイ２１ｂは、その表示内容を変更可能であって、透光性基板２１ａ及び指針２２が液晶ディスプレイ２１ｂの前面側に位置する際に少なくとも指標部２ａ及び文字部２ｂを表示可能なものである。なお、液晶ディスプレイ２１ｂの表示像は透光性基板２１ａを透過して表示される。
【００２０】
指針２２は、指針本体２２ａと、指針キャップ２２ｂと、第一の磁石２２ｃと、第一のヨーク２２ｄと、を有し、液晶表示素子２２ａにて表示される指標部２ａを指示するものである。
【００２１】
指針本体２２ａは、ポリカーボネート等の透光性樹脂からなるものであり、回転中心部には指針キャップ２２ｂが嵌め込まれている。また、指針本体２２ａの回転中心部には、第一の磁石２２ｃ及び第一のヨーク２２ｄを嵌入させる凹部が設けられている。また、指針本体２２ａは、透光性基板２１ａ上に配置されるＬＥＤ２４からの照明光を受光して指針本体２２ａを光輝させるための受光部２２ｅを有する。受光部２２ｅはリング状の第一の磁石２２ｃ及び第一のヨーク２２ｄの空洞部に位置するように形成される。
【００２２】
指針キャップ２２ｂは、例えばＡＢＳ樹脂等の非透光性樹脂を略筒状に形成してなるものである。指針キャップ２２ｂは、その内部に第一の磁石２２ｃ及び第一のヨーク２２ｄを圧入保持するものである。また、指針キャップ２２ｂの中央部には、指針２２を回動可能に支持する軸部２３を挿入する挿入部２２ｆが設けられている。
【００２３】
第一の磁石２２ｃは、リング状に形成され、Ｓ極及びＮ極が交互に複数着磁されてなるものである。第一の磁石２２ｃは、後述する第二の磁石２５ａと互いに吸引し合うものである。
【００２４】
第一のヨーク２２ｄは、第一の磁石２２ｃの第二の磁石２５ａと対向しない面（非対向面）側に設けられるものである。第一のヨーク２２ｄは、第一の磁石２２ｃの前記非対向面側からの漏れ磁束を抑制し、磁気効率を向上させる磁気回路を構成する。
【００２５】
軸部２３は、主軸２３ａと主軸受け部２３ｂと回転軸部２３ｃとを有し、指針２２を回動可能に支持するものである。主軸２３ａは、主軸受け部２３ｂと回転軸部２３ｃに形成される孔部に挿入され指針２２の回転中心となる略円柱状の部材である。主軸受け部２３ｂは透光性基板２１ａに形成される凹部に配設され、主軸２３ａを透光性基板２１ａに固定するものである。回転軸部２３ｃは、主軸２３ａを中心として回転可能に設けられるとともに指針キャップ２２ｂの挿入部２２ｆに主軸２３ａとともに挿入され、指針キャップ２２ｂに圧入保持されるものである。また、軸部２３を構成する各部材２３ａ〜２３ｃは、例えばアルミや黄銅等の非磁性材料からなる。
【００２６】
軸受け部２５は、第二の磁石２５ａと第二のヨーク２５ｂとを有し、ステッピングモータ２６の回動軸２６ａと嵌合されるものである。本実施形態における指針駆動手段は、軸受け部２５とステッピングモータ２６とからなるものである。
【００２７】
第二の磁石２５ａは、第一の磁石２２ｃと対になるように第一の磁石２２ｃに表示板２１を介して対向する位置に配置される。なお、第二の磁石２５ａも第一の磁石２２ｃと同様にＳ極及びＮ極が交互に複数着磁されてなるものである。第二の磁石２５ａを設ける方法としては、軸受け部２５をプラスティックマグネットで形成し、第一の磁石２２ｃとの対向個所を着磁して形成する方法であってもよいし、また、軸受け部２５とは別部材で第二の磁石２５ａを設けインサート成形あるいはアウトサート成形によって一体的に形成する方法であってもよい。
【００２８】
第二のヨーク２５ｂは、第二の磁石２５ａの第一の磁石２２ｃと対向しない面（非対向面）側に設けられるものである。第二のヨーク２５ｂは、第二の磁石２３ａの前記非対向面からの漏れ磁束を抑制し、磁気効率を向上させる磁気回路を構成する。
【００２９】
また、図２において、透光性基板２１ａの両側面の上下には、ガイドピン２ｃ，２ｄが設けられている。このガイドピン２ｃ，２ｄは透光性基板２１ａの移動を案内するものである。
【００３０】
移動機構５は、透光性基板２１ａのガイドピン２ｃ，２ｄをそれぞれ案内するガイドレール５ａ，５ｂと、透光性基板２１ａを移動させる駆動源であるモータ５ｃと、透光性基板２１ａとモータ５ｃとを連結する連結部材であるワイヤ５ｄとで、主に構成されている。なお、５ｅはローラーであり、ワイヤ５ｄを案内するものである。
【００３１】
ガイドレール５ａは金属からなり、適宜手段によって車両用表示装置Ｄに固定されている。ガイドレール５ａはガイドピン２ｃが貫通する貫通孔５ａ１を備えている。ガイドレール４ａは液晶ディスプレイ２１ｂの板面方向に対して、略垂直方向に設けられている。
【００３２】
ガイドレール５ｂは合成樹脂からなり、ハウジング１と一体に形成されている。ガイドレール５ｂはガイドピン２ｄが移動する溝５ｂ１を備えている。ガイドレール５ｂは液晶ディスプレイ２１ｂの板面方向に対して、略平行方向に設けられている。
【００３３】
モータ５ｃは、ワイヤ５ｄを巻き取るためのローラー５ｃ１を備えている。このローラー５ｃ１には、ワイヤ５ｄの一端が固定されている。モータ５ｃは、回転駆動によってワイヤ５ｄを巻き上げ、透光性基板２１ａを移動させる。
【００３４】
ワイヤ５ｄは金属製であり、一端はモータ５ｃのローラー５ｃ１に固定されており、他端は透光性基板２１ａのガイドピン２ｃに固定されている。なお、透光性基板２１ａとモータ５ｃとを連結する連結部材はワイヤに限定されるものではない。
【００３５】
移動機構５は、モータ５ｃを回転駆動することによってワイヤ５ｄを巻き上げて透光性基板２１ａを移動させる。透光性基板２１ａは、ワイヤ５ｄが巻き上げられる前は液晶ディスプレイ２１ｂの板面方向と略平行に位置し（図２参照）、ワイヤ５ｄが巻き上げられると、上方向に移動しながら略直角に回転して表示範囲外に移動する（図４参照）。なお、前記表示範囲はハウジング１によって定められるものであり、利用者が液晶ディスプレイ２１ｂの板面方向に対して略垂直方向から見た場合に視認可能な範囲を指す。前記表示範囲外への移動に際して、透光性基板２１ａ及び指針２２は、ハウジング１に設けられる収納部１ａに収納される。なお、本実施形態では、指針２２は、収納部１ａに完全に収納されて前記表示範囲内では全く視認できなくなる。なお、本実施形態のように、指針２２を完全に視認できなくする必要はなく、液晶ディスプレイ２１ｂの表示に影響を与えない範囲で一部が視認されてもよい。
【００３６】
以上のように構成することによって、指針２２は、透光性基板２１ａとともに前記表示範囲外へ移動するので、液晶ディスプレイ２１ｂの表示サイズを大きくでき、液晶ディスプレイ２１ｂの表示エリアを広く確保できる。利用者は表示サイズの大きくなった液晶ディスプレイ２１ｂによって、液晶ディスプレイ２１ｂの表示内容を瞬時に読み取ることができる。図５は、透光性基板２１ａが前記表示範囲外に移動した際の液晶ディスプレイ２１ｂの表示例を示す図である。図５において、液晶ディスプレイ２１ｂは、前方車両への接近を報知する前方警告情報２ｅと、車両速度情報２ｆを表示するものである。
【００３７】
また、指針２２は、透光性基板２１ａとともに前記表示範囲外に移動すると、第一，第二の磁石２２ｃ，２５ａによる吸引力から解放される。このとき、指針２２の指示位置が定まらないと再度透光性基板２１ａが前記表示範囲内（液晶ディスプレイ２１ｂの前面側）に移動した際に前回の指示位置との間にズレが生じて指針２２の脱調が起こる。かかる問題を解決するために、指針２２は、透光性基板２１ａが前記表示範囲外に移動した際、すなわち第二の磁石２５ａの磁力から解放されたときに、予め定められる位置（例えば原点位置）を指示するような重量バランスで形成されている。このように指針２２を形成することによって、透光性基板２１ａとともに前記表示範囲外に移動した際の指針２２の指示位置が常に一定となるため、再度透光性基板２１ａが前記表示範囲内に移動する際に指針２２が一定の方向で保持されるため、指針２２の脱調を防止することができる。なお、指針２２の重量バランスは、指針２２の各部材の材料や大きさ，形状等に応じて適宜定められるものである。
【００３８】
次に、本発明の第二の実施形態について説明する。なお、前述の第一の実施形態と同一または相当個所には同一符号を付してその詳細な説明を省略する。
【００３９】
本第二の実施形態が前述の第一の実施形態と異なる点は、指針２２を回動可能に支持する軸部２３の構成である。指針２２は、透光性基板２１ａとともに前記表示範囲外に移動すると、第一，第二の磁石２２ｃ，２５ａの磁力から解放される。このとき、指針２２の指示位置が定まらないと再度透光性基板２１ａが前記表示範囲内（液晶ディスプレイ２１ｂの前面側）に移動した際に前回の指示位置との間にズレが生じて指針２２の脱調が起こる。かかる問題を解決するために、軸部２３は、以下のように構成される。
【００４０】
軸部２３は、図６及び図７に示すように、主軸２３ａと主軸受け部２３ｂと回転軸部２３ｃと、スプリング（弾性部材）２３ｄを有し、指針２２を回動可能に支持するものである。主軸２３ａは、主軸受け部２３ｂと回転軸部２３ｃに形成される孔部に挿入され指針２２の回転中心となる略円柱状の部材である。主軸受け部２３ｂは透光性基板２１ａに形成される凹部に配設され、主軸２３ａを透光性基板２１ａに固定するものである。回転軸部２３ｃは、主軸２３ａを中心として回転可能に設けられるとともに指針キャップ２２ｂの挿入部２２ｆに主軸２３ａとともに挿入され、指針キャップ２２ｂに圧入保持されるものである。スプリング２３ｄは、回転軸部２３ｃと主軸受け部２３ｂとの間に配設される伸縮可能な弾性部材である。スプリング２３ｄは、図６に示すように、透光性基板２１ａが液晶ディスプレイ２１ｂの前面側に位置する、すなわち指針２２が透光性基板２１ａ及び液晶ディスプレイ２１ｂを介して軸受け部２５と対向する際に、第一，第二の磁石２２ｃ，２５ａが互いに吸引しあうことで回転軸部２３ｃに押圧されて収縮し、回転軸部２３ｃと主軸２３ａの先端部に設けられる凸状の保持部２３ｅとの間に隙間を生じさせて指針２２を回転可能な状態とする。また、スプリング２３ｄは、図７に示すように、透光性基板２１ａが移動機構５によって前記表示範囲外に移動した際には、第一，第二の磁石２２ｃ，２５ａによる吸引力から解放されることで元の形状に復元し、回転軸部２３ｃを保持部２３ｅに押しつけることで回転軸部２３ｃを回転しない状態で保持する。なお、保持部２３ｅは、回転軸部２３ｃとの摩擦力を大きくするべく、回転軸部２３ｃとの接触個所が波板状に形成される、あるいはゴム等の摩擦力の大きな部材が配置されることが望ましい。また、軸部２３を構成する各部材２３ａ〜２３ｄは、例えばアルミや黄銅等の非磁性材料からなる。
【００４１】
このように軸部２３を構成することによって、透光性基板２１ａとともに前記表示範囲外に移動した際の指針２２の指示位置が移動前の指示位置で保持されるため、再度透光性基板２１ａが前記表示範囲内に移動する際に指針２２の指示位置にズレが生じることがなく、指針２２の脱調を防止することができる。
【００４２】
次に、本発明の第三の実施形態について説明する。なお、前述の実施形態と同一または相当個所には同一符号を付してその詳細な説明を省略する。
【００４３】
本第三の実施形態が、前述の実施形態と異なる点は、リング状に形成される第一，第二の磁石２２ｃ、２５ａがそれぞれ対向面に２極着磁され、透光性基板２１ａが移動機構５によって前記表示範囲外に移動する際に、前記指針駆動手段が、第一，第二の磁石２２ｃ，２５ａの磁極境界線が透光性基板２１ａの移動方向と略平行となるように指針２を回動させる点である。図８は第一の磁石２２ｃを示すものである。それぞれ図８（ａ）は第一の磁石２２ｃを第二の磁石２３ａとの対向面側から見た図であり、図８（ｂ）は第一の磁石２２ｃを側方（曲面側）から見た図である。第一の磁石２２ｃは、前記対向面に２極着磁されている。なお、第三の実施形態においては、第一の磁石２２ｃは前記対向面に２極が着磁されていればよく、図９に示すように両平面にそれぞれ異なる２極着磁を行うものであってもよい。なお、図示しないが第二の磁石２５ａについても第一の磁石２２ｃと同様に第一の磁石２２ｃとの対向面に２極着磁されている。
【００４４】
第三の実施形態は、透光性基板２１ａが移動機構５によって前記表示範囲外に移動する場合、まず、軸受け部２５とステッピングモータ２６からなる前記指針駆動手段により指針２２を回動させ、第一，第二の磁石２２ｃ，２５ａの磁極境界が移動機構５による透光性基板２１ａの移動方向と略平行となるような位置に指針２２を指示させる。そして、移動機構５によって透光性基板２１ａを前記表示範囲外に移動させる。このとき、図１０に示すように、第一の磁石２２ｃは、透光性基板２１ａとともに第二の磁石２５ａとの対向位置から第一，第二の磁石２２ｃ，２５ａの磁界境界と略平行に移動する。第一の磁石２２ｃの移動方向が第一，第二の磁石２２ｃ，２５ａと平行でない場合、第一，第二の磁石２２ｃ，２５ａを引き離す際に第一，第二の磁石２２ｃ，２５ａの磁力によって回転トルクが発生し、指針２２の指示位置に乱れが生じるという問題点がある。これに対し第一の磁石２２ｃを第一，第二の磁石２２ｃ，２５ａの磁界境界と略平行に移動させることによって、回転トルクの発生を抑制し、指針２２の指示位置に乱れが生じることを防ぐことができる。なお、指針２２は、透光性基板２１ａが前記表示範囲外に移動した際、すなわち第二の磁石２５ａの磁力から解放されたときに、引き続き移動開始時の指示位置を指示するような重量バランスで形成される。また、前記指針駆動手段は、透光性基板２１ａが前記表示領域外に移動してから第一の磁石２２ｃが第二の磁石２５ａとの吸引作用が生じる位置に戻るまでの間は回動駆動しない。このようにすることによって、透光性基板２１ａ及び指針２２が再度前記表示領域に移動した際にも磁力による回転トルクの発生を抑制し、指針２２の指示位置に乱れが生じることを防止することができる。
【００４５】
なお、本実施形態では、移動機構４は透光性基板２１ａを上方向に移動させていたが、下方向あるいは左右の何れかの方向に移動させてもよい。また、本実施形態では、収納部１ａを車両用コンビネーションメータの上側に設けたものであったが、下側に設ける構成であってもよい。
【００４６】
さらに、本実施形態において、第一，第二の磁石２２ｃ，２５ａは永久磁石であったが、例えば第二の磁石２５ａは電磁石であっても良い。また、フラットディスプレイとしては、液晶ディスプレイ２１ｂのほかに有機ＥＬディスプレイであってもよい。また、指針駆動手段としてステッピングモータ２６を備えるものであったが、ステッピングモータ２６に代えて、例えば、交差コイル型ムーブメントを用いることができることは言うまでもない。
【図面の簡単な説明】
【００４７】
【図１】本発明の第一の実施形態を示す正面図。
【図２】同上第一の実施形態を示す断面図。
【図３】同上第一の実施形態を示す要部拡大断面図。
【図４】同上第一の実施形態における透光性基板の移動を説明するための断面図。
【図５】同上第一の実施形態における表示例を示す正面図。
【図６】本発明の第二の実施形態を示す要部拡大断面図。
【図７】本発明の第二の実施形態におけるスプリングの作用を説明するための要部拡大断面図。
【図８】本発明の第三の実施形態における第一の磁石を示す図。
【図９】同上第三の実施形態における第一の磁石の別例を示す図。
【図１０】同上第三の実施形態における第一，第二の磁石を示す図。
【符号の説明】
【００４８】
２１    表示板
２１ａ  透光性基板
２１ｂ  液晶ディスプレイ（フラットディスプレイ）
２２    指針
２２ａ  指針本体
２２ｂ  指針キャップ
２２ｃ  第一の磁石
２２ｄ  第一のヨーク
２２ｅ  受光部
２２ｆ  主軸受け部
２３    軸部
２３ａ  主軸
２３ｂ  主軸受け部
２３ｃ  回転軸部
２３ｄ  スプリング（弾性部材）
２３ｅ  保持部
２４    ＬＥＤ
２５    軸受け部
２５ａ  第二の磁石
２５ｂ  第二のヨーク
２６    ステッピングモータ
２７    回路基板
５      移動機構
【図１】
2008286774.tif 000003
【図２】
2008286774.tif 000004
【図３】
2008286774.tif 000005
【図４】
2008286774.tif 000006
【図５】
2008286774.tif 000007
【図６】
2008286774.tif 000008
【図７】
2008286774.tif 000009
【図８】
2008286774.tif 000010
【図９】
2008286774.tif 000011
【図１０】
2008286774.tif 000012